(57)【特許請求の範囲】
【請求項１】
セル再選択中に、ワイヤレス送受信ユニット（ＷＴＲＵ）により実行される方法であって、
Ｃｅｌｌ＿ＦＡＣＨ、Ｃｅｌｌ＿ＰＣＨ、およびＵＲＡ＿ＰＣＨのいずれかの状態に対して高速ダウンリンク共有チャネル（ＨＳ−ＤＳＣＨ）受信の状態を示す、単一のＨＳ−ＤＳＣＨ受信変数、ＨＳ＿ＤＳＣＨ＿ＲＥＣＥＰＴＩＯＮ＿ＧＥＮＥＲＡＬ変数を、ＨＳ−ＤＳＣＨ手順が進行中であるという条件で、ＴＲＵＥに設定するステップと、
セル再選択に続く新しいセルがＨＳ−ＤＳＣＨ受信をサポートしないという条件で、前記ＨＳ＿ＤＳＣＨ＿ＲＥＣＥＰＴＩＯＮ＿ＧＥＮＥＲＡＬ変数をＦＡＬＳＥに設定するステップと、
前記新しいセルがＨＳ−ＤＳＣＨ受信をサポートしないという条件で、ＨＳ−ＤＳＣＨリソースを解放するステップと
を備えたことを特徴とする方法。
【請求項２】
前記ＨＳ−ＤＳＣＨリソースを解放するステップは、
高速同期制御チャネル（ＨＳ−ＳＣＣＨ）受信を停止するステップと、
高速ダウンリンク共有チャネル（ＨＳ−ＤＳＣＨ）受信を停止するステップと、
無線ネットワーク仮識別子（ＲＮＴＩ）を消去するステップと、
媒体アクセス制御（ＭＡＣ）エンティティをリセットするステップと、
ハイブリッド自動再送要求（ＨＡＲＱ）リソースを解放するステップと、
ＨＡＲＱ情報に関係する格納されたあらゆる情報要素を消去するステップと
を含むことを特徴とする請求項１に記載の方法。
【請求項３】
媒体アクセス制御（ＭＡＣ）の状態インジケータを読取って、ＨＳ−ＤＳＣＨ受信を決定するステップをさらに備えたことを特徴とする請求項１に記載の方法。
【請求項４】
システム情報ブロック（ＳＩＢ）５／５ｂｉｓまたはＳＩＢ６／６ｂｉｓの少なくとも１つにおいてＨＳ−ＤＳＣＨ受信状態を決定する情報要素（ＩＥ）を読取るステップをさらに備えたことを特徴とする請求項１に記載の方法。
【請求項５】
前記ＩＥは、ＨＳ−ＤＳＣＨ共通システム情報であることを特徴とする請求項４に記載の方法。
【請求項６】
前記ＩＥは、ＨＳ−ＤＳＣＨページングシステム情報であることを特徴とする請求項４に記載の方法。
【請求項７】
セル再選択のためのワイヤレス送受信ユニット（ＷＴＲＵ）であって、
Ｃｅｌｌ＿ＦＡＣＨ、Ｃｅｌｌ＿ＰＣＨ、およびＵＲＡ＿ＰＣＨのいずれかの状態に対して高速ダウンリンク共有チャネル（ＨＳ−ＤＳＣＨ）受信の状態を示す、単一のＨＳ−ＤＳＣＨ受信変数、ＨＳ＿ＤＳＣＨ＿ＲＥＣＥＰＴＩＯＮ＿ＧＥＮＥＲＡＬ変数を、ＨＳ−ＤＳＣＨ手順が進行中であるという条件で、ＴＲＵＥに設定し、
セル再選択に続く新しいセルがＨＳ−ＤＳＣＨ受信をサポートしないという条件で、前記ＨＳ＿ＤＳＣＨ＿ＲＥＣＥＰＴＩＯＮ＿ＧＥＮＥＲＡＬ変数をＦＡＬＳＥに設定し、および
前記新しいセルがＨＳ−ＤＳＣＨ受信をサポートしないという条件で、ＨＳ−ＤＳＣＨリソースを解放する
よう構成されたプロセッサ
を備えたことを特徴とするＷＴＲＵ。
【請求項８】
前記プロセッサは、
高速同期制御チャネル（ＨＳ−ＳＣＣＨ）受信を停止し、
高速ダウンリンク共有チャネル（ＨＳ−ＤＳＣＨ）受信を停止し、
無線ネットワーク仮識別子（ＲＮＴＩ）を消去し、
媒体アクセス制御（ＭＡＣ）エンティティをリセットし、
ハイブリッド自動再送要求（ＨＡＲＱ）リソースを解放し、および
ＨＡＲＱ情報に関係する格納されたあらゆる情報要素を消去する
ようにさらに構成されたことを特徴とする請求項７に記載のＷＴＲＵ。
【請求項９】
媒体アクセス制御（ＭＡＣ）の状態インジケータを読取って、ＨＳ−ＤＳＣＨ受信を決定するようさらに構成されたことを特徴とする請求項７に記載のＷＴＲＵ。
【請求項１０】
システム情報ブロック（ＳＩＢ）５／５ｂｉｓまたはＳＩＢ６／６ｂｉｓの少なくとも１つにおいてＨＳ−ＤＳＣＨ受信状態を決定する情報要素（ＩＥ）を読取るようさらに構成されたことを特徴とする請求項７に記載のＷＴＲＵ。
【請求項１１】
前記ＩＥは、ＨＳ−ＤＳＣＨ共通システム情報であることを特徴とする請求項１０に記載のＷＴＲＵ。
【請求項１２】
前記ＩＥは、ＨＳ−ＤＳＣＨページングシステム情報であることを特徴とする請求項１０に記載のＷＴＲＵ。
【発明の詳細な説明】
【技術分野】
【０００１】
発明は、ワイヤレス通信に関し、より詳細には、高速ダウンリンク・パケット・アクセスのためのセル再選択および状態変化の処理に関する。
【背景技術】
【０００２】
ＵＴＲＡＮ（ＵＭＴＳ Terrestrial Radio Access Network）におけるワイヤレス送受信ユニット（ＷＴＲＵ）は、２つのモードのうちのどちらか一方の状態にあるとすることができる。すなわち、待ち受けモードまたは接続モードである。接続モードにある間のＷＴＲＵのモビリティおよびアクティビティに基づいて、ＵＴＲＡＮは、いくつかのサブ状態、すなわちＣｅｌｌ＿ＰＣＨ、ＵＲＡ＿ＰＣＨ、Ｃｅｌｌ＿ＤＣＨおよびＣｅｌｌ＿ＦＡＣＨの間において変化するようＷＴＲＵに指示することができる。Ｃｅｌｌ＿ＰＣＨ状態およびＵＲＡ＿ＰＣＨ状態を使用して、モバイルＷＴＲＵに対してページングチャネル（ＰＣＨ）上においてセル更新をトリガーする。Ｃｅｌｌ＿ＤＣＨ状態は、アップリンクとダウンリンクとの両方におけるＤＣＨ（Dedicated CHannel）によりを特徴づけられる。ＷＴＲＵ側では、上記は、継続的な送信と受信とに対応し、およびに消費電力要件に対して要求をすることができる。Ｃｅｌｌ＿ＦＡＣＨ状態は、ＦＡＣＨ（Forward Access CHannel）により特徴づけられ、およびＤＣＨを使用せず、したがって、より低いアップリンクスループットおよびダウンリンクスループットを犠牲にして、よりよい電力消費を可能にする。
【０００３】
標準化団体による最近の成果は、Ｃｅｌｌ＿ＦＡＣＨにおいて高速ダウンリンク・パケット・アクセス（ＨＳＤＰＡ）を使用する可能性と、Ｃｅｌｌ＿ＰＣＨ／ＵＲＡ＿ＰＣＨにおいてＨＳＤＰＡを使用する可能性とを識別している。ＨＳＤＰＡは、Ｃｅｌｌ＿ＤＣＨにおいて作動するための第３世代パートナーシッププロジェクト（３ＧＰＰ）仕様書のリリース５にて導入された機能である。ＨＳＤＰＡは、３つのキーコンセプト、すなわち適応変調符号化（ＡＭＣ）、ハイブリッドＡＲＱ（ＨＡＲＱ）の方法を用いる再送およびノードＢスケジューリングを使用して、ダウンリンクの共有される収容能力をよりよく使用しようとし、非常に高速においてすべで作動する。
【０００４】
次のＨＳＤＰＡの特性は、関連がある。  
ａ．ＨＳＤＰＡ接続を有するすべてのＷＴＲＵは、Ｈ−ＲＮＴＩ（ＨＳ−ＤＳＣＨ（High Speed Downlink Scheduling CHannel） Radio Network Temporary Identifier）を割当てられる。上記の識別子は、セル内においてただ一つであり、および情報を提供する無線ネットワークコントローラー（ＲＮＣ）によって割当てられる
ｂ．ＷＴＲＵは、情報を提供する単一のセル（ノードＢ）に付随する
ｃ．ＷＴＲＵは、使用する物理的なチャネルリソースの表示（ＨＳ−ＰＤＳＣＨ info）を、どのようにＨＡＲＱプロセスおよびＨＡＲＱメモリを設定するかの表示も同様に、受信しなければならない
【０００５】
３ＧＰＰリリース６では、ＨＳＤＰＡは、Ｃｅｌｌ＿ＤＣＨにおいてのみサポートされた。したがって、Ｃｅｌｌ＿ＤＣＨ状態から変化すると、すべてのＨＳＤＰＡリソースを、消去しなければならなかった。しかしながら、強化された（enhanced）Ｃｅｌｌ＿ＦＡＣＨの導入により、ＷＴＲＵは、Ｃｅｌｌ＿ＤＣＨ状態から他のあらゆる状態に変化し、および依然としてＨＳ−ＤＳＣＨ受信をサポートすることができて、ＷＴＲＵにすべてのＨＳＤＰＡリソースを消去することを命ずることができない。したがって、追加条件を、Ｃｅｌｌ＿ＤＣＨにおけるＨＳ−ＤＳＣＨ受信に関連づけられた変数ＨＳ−ＤＳＣＨ＿ＲＥＣＥＰＴＩＯＮに加えた。ＨＳ−ＤＳＣＨ受信を実行するための要件を満たさずおよびＷＴＲＵがＣｅｌｌ＿ＤＣＨにある場合には、ＨＳＤＰＡリソースを、消去だけする。
【０００６】
ＷＴＲＵがリリース７のＨＳＤＰＡをサポートする場合には、ＷＴＲＵは、Ｃｅｌｌ＿ＦＡＣＨおよびＣｅｌｌ＿ＰＣＨ／ＵＲＡ＿ＰＣＨのＨＳＤＰＡをサポートすると仮定する。Ｃｅｌｌ＿ＦＡＣＨにおけるＨＳ−ＤＳＣＨ受信を、Ｃｅｌｌ＿ＰＣＨおよびＵＲＡ＿ＰＣＨにおけるＨＳ−ＤＳＣＨ受信なしに構成することができる。Ｃｅｌｌ＿ＦＡＣＨにおけるＨＳ−ＤＳＣＨ受信のサポートなしの、Ｃｅｌｌ＿ＰＣＨおよびＵＲＡ＿ＰＣＨにおけるＨＳ−ＤＳＣＨ受信は、サポートされない。上記の機能に対するＷＴＲＵのサポートを、ＷＴＲＵによりネットワークに信号送信する。
【０００７】
ネットワークは、強化されたＣｅｌｌ＿ＦＡＣＨに対する上記のサポートを、システム情報ブロック（ＳＩＢ）５／５ｂｉｓによってＷＴＲＵに信号送信する。次の２つの新しい情報要素（ＩＥ）が導入されている。
ａ．「ＨＳ−ＤＳＣＨ共通システム情報」−ＨＳＤＰＡ受信を、Ｃｅｌｌ＿ＦＡＣＨ状態に対してサポートすることを示す
ｂ．「ＨＳ−ＤＳＣＨページングシステム情報」−ＨＳＤＰＡ受信を、Ｃｅｌｌ＿ＰＣＨ／ＵＲＡ＿ＰＣＨ状態に対してサポートすることを示す
ＨＳ−ＤＳＣＨ受信がＣｅｌｌ＿ＦＡＣＨにおいて進行中であるかどうかを示すために、次の２つの新しいブール変数が導入されて、ＷＴＲＵの無線リソース制御（ＲＲＣ）のコントローラーによりフラグとして使用する。  
ａ．ＨＳ＿ＤＳＣＨ＿ＲＥＣＥＰＴＩＯＮ＿Ｃｅｌｌ＿ＦＡＣＨ＿ＳＴＡＴＥ：ＴＲＵＥの場合には、Ｃｅｌｌ＿ＦＡＣＨ受信におけるＨＳ＿ＤＳＣＨ受信が進行中であることを示す
ｂ．ＨＳ＿ＤＳＣＨ＿ＲＥＣＥＰＴＩＯＮ＿ＯＦ＿ＣＣＣＨ＿ＯＦ＿ＥＮＡＢＬＥＤ：ＴＲＵＥの場合には、ＣＣＣＨに対するＨＳ−ＤＳＣＨ受信を可能にすることを示す。上記の変数は、ＷＴＲＵがＨＳＤＰＡトラフィックを受信するために共通のＨ−ＲＮＴＩを使用している場合には、ＴＲＵＥに設定し、およびＷＴＲＵがそうでない場合には、ＦＡＬＳＥに設定する
しかしながら、Ｃｅｌｌ＿ＰＣＨ状態またはＵＲＡ＿ＰＣＨ状態におけるＨＳ−ＤＳＣＨ受信の表示に対する新しい変数は、定義されていない。Ｃｅｌｌ＿ＰＣＨまたはＵＲＡ＿ＰＣＨにあると、ＩＥ「ＨＳ−ＤＳＣＨページングシステム情報」をブロードキャストする場合には、ＷＴＲＵは、ＨＳＤＰＡ受信を設定する。
【０００８】
ＷＴＲＵがＣｅｌｌ＿ＤＣＨからＨＳＤＰＡをサポートしない状態に変化する場合に、シナリオが生じることがある。例えば、ＷＴＲＵは、強化されたＣｅｌｌ＿ＦＡＣＨ機能をサポートしないセルにおいて、Ｃｅｌｌ＿ＤＣＨからＣｅｌｌ＿ＦＡＣＨに変化する可能性があり、またはＷＴＲＵは、Ｃｅｌｌ＿ＰＣＨにおけるＨＳ−ＤＳＣＨ受信をサポートしないセルにおいて、Ｃｅｌｌ＿ＤＣＨからＣｅｌｌ＿ＰＣＨに変化する可能性がある。上記のシナリオでは、ＨＳＤＰＡリソースは消去されず、ＷＴＲＵはＨＳ−ＤＳＣＨ受信手順を実行することを継続することになる。ＷＴＲＵが上記のチャネル上において受信を試みる間にリソースおよび電池を浪費することになるので、上記のビヘイビアーは、望ましくない。加えて、ＨＳＤＰＡリソースの消去（すなわち、ＩＥの消去、ＨＡＲＱリソースの解放、ＭＡＣ−ｅｈｓ（enhanced high speed Medium Access Channel）のリセットの実行）ができなかったことにより、ＷＴＲＵが別の状態においてＨＳ−ＤＳＣＨ受信を再開する場合に問題が生じる可能性が高い。
【０００９】
同様の問題が、セル再選択のいくつかのシナリオにおいて生じる。例えば、ＷＴＲＵは、ＣＥＬＬにおいてＨＳ−ＤＳＣＨをサポートするセルから強化されたＣｅｌｌ＿ＦＡＣＨ機能をサポートしないセルに再選択することがあり、およびＨＳＤＰＡリソースは、消去されない。
【発明の概要】
【発明が解決しようとする課題】
【００１０】
３ＧＰＰワイヤレス通信におけるセル再選択のための方法および装置を、ＨＳ−ＤＳＣＨ受信をサポートするワイヤレス送受信ユニット（ＷＴＲＵ）により実装する。セル変化または状態変化における場合には、ＷＴＲＵは、進行中のＨＳ−ＤＳＣＨ受信があるかどうかをチェックし、および新しいセルまたは状態がＨＳ−ＤＳＣＨをサポートすることができない場合には、進行中のＨＳ−ＤＳＣＨ受信に使用されているＨＳＤＰＡリソースを、解放する。ＷＴＲＵは、無線リソース制御（ＲＲＣ）の処理を用いて上記の方法を実行して、種々のイベントおよび条件を監視して、ＨＳＤＰＡリソースを解放するかどうかを決定する。
【００１１】
本明細書において添付の図面と共に例として与えられる以下の説明から、より詳細な理解をすることができる。
【図面の簡単な説明】
【００１２】
【図１】本発明の一実施形態に係るワイヤレス送受信ユニット（ＷＴＲＵ）およびセル／状態の再選択のための種々のノードＢ候補についてのブロック図である。
【図２】本発明の一実施形態に係る図１のＷＴＲＵおよびノードＢの例示的な機能上のブロック図である。
【図３】本発明の一実施形態に係るすべての状態に対するＨＳ−ＤＳＣＨ受信を追跡するＲＲＣ変数ＨＳ＿ＤＳＣＨ＿ＲＥＣＥＰＴＩＯＮ＿ＧＥＮＥＲＡＬを実装する方法のフローチャートである。
【発明を実施するための形態】
【００１３】
本明細書において以下に引用する場合には、用語「ワイヤレス送受信ユニット（ＷＴＲＵ）」は、制限されないが、ユーザー装置（ＵＥ）、移動局、固定もしくは移動の加入者ユニット、ページャー、セルラー電話機、パーソナル・デジタル・アシスタント（ＰＤＡ）、コンピューター、またはワイヤレス環境において動作する性能があるあらゆる他の種類のユーザーデバイスを含む。本明細書において以下に引用する場合には、用語「基地局」は、制限されないが、ノードＢ、ロングタームエボリューションｅＮＢ（enhanced Node B）、サイトコントローラー、アクセスポイント（ＡＰ）、またはワイヤレス環境において動作する性能があるあらゆる他の種類のインターフェースデバイスを含む。
【００１４】
本明細書において、用語「ＨＳＤＰＡリソースの消去および解放」と「ＨＳ−ＤＳＣＨ受信手順の停止」とは、交換可能に使用する。
【００１５】
本明細書において以下に引用する場合には、用語「３ＧＰＰリリース７（Ｒ７）」は、制限されないが、ＣＥＬＬ＿ＦＡＣＨおよび／またはＣＥＬＬ／ＵＲＡ＿ＰＣＨにおけるＨＳ−ＤＳＣＨをサポートするＷＴＲＵまたはノードＢを含み、および「３ＧＰＰリリース６（Ｒ６）」は、制限されないが、ＣＥＬＬ＿ＦＡＣＨおよび／またはＣＥＬＬ／ＵＲＡ＿ＰＣＨにおけるＨＳ−ＤＳＣＨをサポートするＷＴＲＵまたはノードＢを含む。
【００１６】
ＣＥＬＬ＿ＦＡＣＨにおけるＨＳ−ＤＳＣＨは、ＲＲＣの接続手順の受信のために待ち受けモードにおけるＨＳ−ＤＳＣＨ受信をさらに含む。
【００１７】
図１は、それぞれ、ノードＢ１２０、１３０、１４０を有する、セル２０、３０、４０の例示的なワイヤレス通信システム１００を示す。モバイルＷＴＲＵ１１０は、情報を提供するノードＢ１２０と通信状態にあり、およびノードＢ１３０、１４０は、セル再選択の候補である。ＷＴＲＵ１１０およびノードＢ１２０の例示的な構成を図１に示すが、無線および有線のデバイスのあらゆる組合せをワイヤレス通信システム１００に含むことができることを補足すべきである。
【００１８】
図２は、図１のワイヤレス通信システム１００のＷＴＲＵ１１０およびノードＢ１２０の例示的な機能上のブロック図２００である。図２に示すように、ＷＴＲＵ１１０は、ノードＢ１２０と通信状態にある。
【００１９】
典型的なＷＴＲＵにおいて提供することができるコンポーネントに加えて、ＷＴＲＵ１１０は、プロセッサ１１５、レシーバー１１６、トランスミッター１１７、およびアンテナ１１８を含む。レシーバー１１６およびトランスミッター１１７は、プロセッサ１１５と通信状態にある。アンテナ１１８は、レシーバー１１６とトランスミッター１１７との両方と通信状態にあり、ワイヤレスデータの送受信を容易にする。ＷＴＲＵ１１０のプロセッサ１１５を、強化されたＣｅｌｌ＿ＦＡＣＨ状態との間のセル再選択および状態変化を処理するよう構成する。
【００２０】
典型的なノードＢにおいて提供することができるコンポーネントに加えて、ノードＢ１２０は、プロセッサ１２５、レシーバー１２６、トランスミッター１２７、およびアンテナ１２８を含む。レシーバー１２６およびトランスミッター１２７は、プロセッサ１２５と通信状態にある。アンテナ１２８は、レシーバー１２６とトランスミッター１２７との両方と通信状態にあり、ワイヤレスデータの送受信を容易にする。ノードＢ１２０のプロセッサ１２５を、強化されたＣｅｌｌ＿ＦＡＣＨ状態をサポートするよう構成する。
【００２１】
ＨＳ−ＤＳＣＨ受信が可能な状態またはセルから、ＨＳ−ＤＳＣＨ受信が不可能な状態またはセルへの状態／セルの変化を処理する実施形態を開示する。
【００２２】
（セル再選択）
上記の場合には、ＷＴＲＵは、ネットワークからのＣＥＬＬ  ＵＰＤＡＴＥ  ＣＯＮＦＩＲＭを待ち受けない。すなわち、ＷＴＲＵは、状態Ｃｅｌｌ＿ＦＡＣＨにあり、およびセル再選択を行う。セル再選択プロセスは、２ステップのプロセスと考えることができる。第１のステップでは、新しいセルが３ＧＰＰ  Ｒ７対応である場合には、新しいセルにおいてＨＳＤＰＡ通信を設定する。第２のステップでは、古いセルから情報を消去することを扱う。上記の第２のステップでは、生じるかもしれないすべての可能な変化を考慮すべきである。すなわち、３ＧＰＰ  Ｒ７セルからＲ７セルへ、３ＧＰＰ  Ｒ７セルからＲ６セルへ、３ＧＰＰ  Ｒ６セルからＲ７セルへ、および３ＧＰＰ  Ｒ６セルからＲ６セルへの変化である。３ＧＰＰ  Ｒ６セルへのセル再選択が生じるあらゆるときには、あらゆるＨＳＤＰＡ構成の除去（完全なＨＳＤＰＡリセット）をすべきである。一方、変化が３ＧＰＰ  Ｒ７対応セルへの変化である場合には、ＭＡＣ−ｈｓリセットのみが必要となる。さらに、第１のステップでは、セル再選択が生じていることを具体的にチェックすべきである。第２のステップは、セル再選択に特有である。セルが３ＧＰＰ  Ｒ７対応でない場合には、完全なＨＳＤＰＡリセット（ＨＳ−ＳＣＣＨおよびＨＳ−ＰＤＳＣＨの監視の停止、ｍａｃ−ｈｓリセット、ＨＡＲＱリソースの解放）を実行する。上記のリセットを、個々のアクションを指定することにより実行することができ、または変数（ＨＳ＿ＤＳＣＨ＿ＲＥＣＥＰＴＩＯＮ＿Ｃｅｌｌ＿ＦＡＣＨ＿ＳＴＡＴＥおよびＨＳ＿ＤＳＣＨ＿ＲＥＣＥＰＴＩＯＮ＿ＯＦ＿ＣＣＣＨ）を使用することおよび必要とされるアクションを実行することにより実装することができる。
【００２３】
（状態変化）
（Ｃｅｌｌ＿ＤＣＨからの変化）
Ｃｅｌｌ＿ＤＣＨからの変化を、例えば次のようないくつかのＲＲＣメッセージを介して要求することができる。  
【００２４】
【表１】
0005491578.tif 000002
【００２５】
上記のメッセージに関係する手順を実行すると、ＷＴＲＵは、Ｃｅｌｌ＿ＤＣＨ状態からＣｅｌｌ＿ＦＡＣＨ、Ｃｅｌｌ＿ＰＣＨ、およびＵＲＡ＿ＰＣＨに変化するよう求められることがある。セルの能力に応じて、入りつつある状態は、ＨＳＤＰＡをサポートすることができるか、またはできない（３ＧＰＰ  Ｒ７セルはＣｅｌｌ＿ＦＡＣＨ、Ｃｅｌｌ＿ＰＣＨ、ＵＲＡ＿ＰＣＨにおけるＨＳＤＰＡをサポートするが、３ＧＰＰ  Ｒ６セルはサポートしない）。結果として、ＨＳＤＰＡ状態から非ＨＳＤＰＡ状態へのあらゆる変化は、完全なＨＳＤＰＡリセット（ＨＳ−ＳＣＣＨおよびＨＳ−ＰＤＳＣＨの監視の停止、ｍａｃ−ｈｓリセット、ＨＡＲＱリソースの解放）となるべきである。しかしながら、ＨＳＤＰＡをサポートする状態への変化のために、リセットは、必要でない。
【００２６】
一般に、変数ＨＳ＿ＤＳＣＨ＿ＲＥＣＥＰＴＩＯＮを評価すると、リセットすることを実行する。上記の変数が「ＴＲＵＥ」でありおよび評価後に「ＦＡＬＳＥ」になる場合には、ＵＥが状態Ｃｅｌｌ＿ＤＣＨにあるということを提供する完全なＨＳＤＰＡリセットを実行する。
【００２７】
上記の実施形態のとおりに、ＷＴＲＵ１１０は、ＨＳＤＰＡをサポートしない状態に変化する場合には、リセット（すなわちＨＳＤＰＡリソースの解放）を実行する。ＳＩＢ５中のＩＥ「ダウンリンクＨＳ−ＰＤＳＣＨシステム情報」または「ＨＳ−ＤＳＣＨ共通システム情報」の有無、および／またはＳＩＢ６中のＩＥ「接続モード用のダウンリンクＨＳ−ＰＤＳＣＨシステム情報」の有無から、上記を決定することができる。
【００２８】
（Ｃｅｌｌ＿ＦＡＣＨからの変化）
強化されたＣｅｌｌ＿ＦＡＣＨ状態からの状態変化は、Ｃｅｌｌ＿ＤＣＨからの変化と同じ問題を有する。すなわち、変化がＨＳＤＰＡをサポートしない状態への変化であるあらゆるときに、完全なＨＳＤＰＡリセットを必要とするべきである。変数ＨＳ＿ＤＳＣＨ＿ＲＥＣＥＰＴＩＯＮ＿Ｃｅｌｌ＿ＦＡＣＨ＿ＳＴＡＴＥを評価すると、リセットすることを実行する。上記の変数が「ＴＲＵＥ」でありおよび評価後に「ＦＡＬＳＥ」になる場合には、ＷＴＲＵが状態Ｃｅｌｌ＿ＦＡＣＨにあるということを提供する完全なＨＳＤＰＡリセットを実行し、および変数ＨＳ＿ＤＳＣＨ＿ＲＥＣＥＰＴＩＯＮ＿ＯＦ＿ＣＣＣＨは、「ＦＡＬＳＥ」である。ＷＴＲＵ１１０がＨＳＤＰＡをサポートしない状態に変化する場合には、上記のリセットを、さらに実行する。
【００２９】
Ｃｅｌｌ＿ＦＡＣＨからＣｅｌｌ＿ＰＣＨまたはＵＲＡ＿ＰＣＨへの変化を生じるあらゆるＲＲＣメッセージをＷＴＲＵ１１０が受信すると、変数の明示的なチェックを行う。上記は、例えば次のようなコマンドを含む。
【００３０】
【表２】
0005491578.tif 000003
【００３１】
ＷＴＲＵ１１０が変化した状態がＨＳＤＰＡをサポートするかどうかを決定するために、ＷＴＲＵ１１０は、ＳＩＢ５中のＩＥ「ダウンリンクＨＳ−ＰＤＳＣＨシステム情報」または「ＨＳ−ＤＳＣＨ共通システム情報」の有無、および／またはＳＩＢ６中のＩＥ「接続モード用のダウンリンクＨＳ−ＰＤＳＣＨシステム情報」の有無を使用することができる。
【００３２】
（全体的な概観）
ＷＴＲＵ１１０が、ＨＳ−ＤＳＣＨ受信を実行している状態またはセル（例えば３ＧＰＰリリース７対応の状態またはセル）から、ＨＳ−ＤＳＣＨ受信をもはやサポートしない状態またはセル（例えば３ＧＰＰリリース６対応の状態またはセル）に変化すると、ＷＴＲＵ１１０は、ＨＳＤＰＡリソースを消去し、およびＨＳ−ＤＳＣＨ受信手順を停止する。
【００３３】
ＷＴＲＵ１１０が状態変化および／またはセル変更（セル再選択）の結果としてＨＳＤＰＡ接続の確立を試み、およびＨＳ−ＤＳＣＨ受信を実行するのに必要とする条件を満たさない場合には、ＷＴＲＵ１１０は、ＨＳＤＰＡリソースを消去する。ＷＴＲＵ１１０は、ＨＳＤＰＡリソースを常に消去することができ、またはＷＴＲＵ１１０は、前の状態またはセルが進行中のＨＳ−ＤＳＣＨ受信手順を有していた場合のみＨＳＤＰＡリソースを消去する。
【００３４】
ＨＳＤＰＡリソースの消去およびＨＳ−ＤＳＣＨ受信手順の停止に関係するアクションは、制限されないが、次を含む。  
−  あらゆるＨＳ−ＳＣＣＨ受信／監視手順を停止すること
−  あらゆるＨＳ−ＤＳＣＨ受信／監視手順を停止すること
−  変数Ｈ＿ＲＮＴＩを消去し、格納されたあらゆるＨ−ＲＮＴＩを消去すること
−  ＭＡＣ−ｈｓ／ｅｈｓエンティティをリセットすること
−  すべてのＨＡＲＱリソースを解放すること
【００３５】
より多くのリソースをＨＳ−ＤＳＣＨ接続手順に追加する場合には、ＷＴＲＵ１１０はそれらのリソースも消去することができる。例えば、ＷＴＲＵ１１０は、さらに、共通Ｈ−ＲＮＴＩ値を、または格納されたあらゆるＩＥ（例えばＨＡＲＱ info）を消去する必要があることがある。
【００３６】
（ＨＳ−ＤＳＣＨ受信が進行中かどうかのチェック）
いくつかのシナリオでは、ＷＴＲＵ１１０は、進行中のＨＳ−ＤＳＣＨ受信手順があるかどうかを（すなわち、状態変化、構成、セル再選択などの前に）チェックする必要がある。進行中のＨＳ−ＤＳＣＨ受信手順があるかどうかをチェックするために、次の手順の１つまたは組合せを使用することができる。
【００３７】
新しいブールＨＳ−ＤＳＣＨ受信変数ＨＳ＿ＤＳＣＨ＿ＲＥＣＥＰＴＩＯＮ＿ＧＥＮＥＲＡＬを、無線リソース制御（ＲＲＣ）を処理するために使用されるプロセッサ１１５により定義することができ、およびどの４つの状態Ｃｅｌｌ＿ＦＡＣＨ、Ｃｅｌｌ＿ＤＣＨ、Ｃｅｌｌ＿ＰＣＨ、ＵＲＡ＿ＰＣＨにおいてでも、ＨＳ＿ＤＳＣＨ受信が進行中であるかどうかを示すためのフラグとして動作するように使用することができる。例えば、上記を、プロセッサ１１５におけるＲＲＣのコントローラー機能により実装することができる。ＨＳ−ＤＳＣＨ受信をサポートしおよびあらゆる状態において開始する場合には、変数を、ＴＲＵＥに設定し、およびＨＳ−ＤＳＣＨ受信を停止する場合および／またはＨＳ−ＤＳＣＨ受信がサポートされない場合には、ＦＡＬＳＥに設定する。
【００３８】
Ｃｅｌｌ＿ＰＣＨ／ＵＲＡ＿ＰＣＨ状態に関する新しい状態変数ＨＳ＿ＤＳＣＨ＿ＲＥＣＥＰＴＩＯＮ＿ＰＣＨ＿ＳＴＡＴＥを、ＲＲＣの処理のためにプロセッサ１１５によって定義することができ（例えばプロセッサ１１５のＲＲＣのコントローラー機能において）、およびＨＳ−ＤＳＣＨ受信がＣｅｌｌ＿ＰＣＨ／ＵＲＡ＿ＰＣＨ状態において進行中であるかどうかをチェックするのに使用することができる。
【００３９】
既存のＨＳ＿ＤＳＣＨ受信変数（ＨＳ＿ＤＳＣＨ＿ＲＥＣＥＰＴＩＯＮ、ＨＳ＿ＤＳＣＨ＿ＲＥＣＥＰＴＩＯＮ＿Ｃｅｌｌ＿ＦＡＣＨ＿ＳＴＡＴＥ、ＨＳ＿ＤＳＣＨ＿ＲＥＣＥＰＴＩＯＮ＿ＯＦ＿ＣＣＣＨ＿ＥＮＡＢＬＥＤ、またはＨＳ＿ＤＳＣＨ＿ＲＥＣＥＰＴＩＯＮ＿ＰＣＨ＿ＳＴＡＴＥ）も、適切な場合には使用することができる。どの上記変数でもＴＲＵＥに設定されている場合には、ＨＳ−ＤＳＣＨ受信手順が進行中であることを意味する。例えば、ＷＴＲＵ１１０がＣｅｌｌ＿ＦＡＣＨにあり、ＨＳ−ＤＳＣＨ受信が進行中であるかどうかを識別する必要がある場合には、ＷＴＲＵ１１０は、状態変数（すなわちＨＳ＿ＤＳＣＨ＿ＲＥＣＥＰＴＩＯＮ＿Ｃｅｌｌ＿ＦＡＣＨ＿ＳＴＡＴＥ）に加えて、他のすべてのＨＳ−ＤＳＣＨ受信変数もチェックする。
【００４０】
ＭＡＣ−ｅｈｓ状態表示を使用して、進行中のＨＳＤＰＡ受信を示すことができる。上記は、新たに定義された状態インジケータ、ＭＡＣ−ｅｈｓ状態変数用の特別に予約された値（ｎｅｘｔ＿ｅｘｐｅｃｔｅｄ＿ＴＳＮ、Ｔ１）、またはあらゆるＨＡＲＱリソースが構成されたかどうかを含むことができる。最後のオプションのみ、ＭＡＣ−ｅｈｓ状態表示を使用する実施形態に含まれる。状態表示が正しく動作するために、ＨＳＤＰＡを使用しないときはＨＡＲＱリソースを消去すべきである。
【００４１】
（ＨＳ−ＤＳＣＨリソースを解放するための条件）
ＷＴＲＵ１１０の正しいビヘイビアーは、プロセッサ１１５における次のＲＲＣ手順の１つまたは組合せに従って定義することができる。最初に、ＷＴＲＵ１１０は、次のＨＳ−ＤＳＣＨ受信の基準としてチェックして、次のどのイベントでも生じたかどうかを監視している。  
ａ．ＲＲＣの再構成、ＲＲＣの設定、ＲＲＣの解放メッセージによる次の状態変化
ｉ．Ｃｅｌｌ＿ＤＣＨからＣｅｌｌ＿ＦＡＣＨ、Ｃｅｌｌ＿ＰＣＨ、またはＵＲＡ＿ＰＣＨへ
ｉｉ．Ｃｅｌｌ＿ＦＡＣＨからＣｅｌｌ＿ＰＣＨまたはＵＲＡ＿ＰＣＨへ
ｂ．次の場合のセル更新およびセル再選択
ｉ．（Ｃｅｌｌ＿ＤＣＨからＣｅｌｌ＿ＦＡＣＨへの）無線リンク障害
ｉｉ．Ｃｅｌｌ＿ＦＡＣＨからＣｅｌｌ＿ＦＡＣＨへのセル再選択
ｉｉｉ．Ｃｅｌｌ＿ＰＣＨからＣｅｌｌ＿ＦＡＣＨへのセル再選択
ｃ．ＲＲＣ  ＣＯＮＮＥＣＴＩＯＮ  ＳＥＴＵＰメッセージを待ち受ける（すなわち、セル再選択によるＲＲＣ  ＣＯＮＮＥＣＴＩＯＮ  ＲＥＱＵＥＳＴを再送する）間の待ち受けモードにおける次のセル再選択
ｉ．ＵＲＡ＿ＰＣＨにおけるセル再選択（すなわち、ＳＩＢ５／５ｂｉｓおよびＳＩＢ６／６ｂｉｓを読取る場合）
ｄ．セル再選択のタイマーＴ３０２の満了
あるいはまた、ＨＳ−ＤＳＣＨを受信するためにＷＴＲＵ１１０のチェックをサポートする（すなわち、ＳＩＢ５／５ｂｉｓおよびＳＩＢ６／６ｂｉｓアクションを読取る）他の手順および場合において、上記のチェックを、行うことができる。
【００４２】
さらに、ＷＴＲＵ１１０は、次の条件をさらにチェックして、新しい状態においてＨＳ−ＤＳＣＨ受信をサポートするかどうかを確定する。  
Ｃｅｌｌ＿ＦＡＣＨ状態への状態変化に続いて、ＷＴＲＵ１１０は、次をチェックする。
ＴＤＤとして
ＦＤＤとしてＷＴＲＵがＨＳ−ＤＳＣＨ受信をサポートしないか
ＩＥ「ＨＳ−ＤＳＣＨ共通システム情報」をＳＩＢ型５もしくはＳＩＢ型５ｂｉｓに含まないか
Ｃｅｌｌ＿ＰＣＨまたはＵＲＡ＿ＰＣＨへの状態変化に続いて、ＷＴＲＵ１１０は、次をチェックする。  
ＴＤＤとして
ＦＤＤとしてＷＴＲＵがＨＳ−ＤＳＣＨ受信をサポートしないか
ＩＥ「ＨＳ−ＤＳＣＨページングシステム情報」を含まないか
上記の条件のうちの１つがＴＲＵＥの場合には、ＷＴＲＵ１１０は、ＨＳＤＰＡリソースを消去するアクションを実行する。第１の変形として、どの上記条件でも満たせば常にＨＳＤＰＡリソースを消去することができる。第２の変形として、どの上記条件でも満たし、およびＲＲＣ手順の開始前に他のどの状態においてでもＨＳ−ＤＳＣＨ受信が以前に進行中であった場合には、ＨＳＤＰＡリソースを、消去する。
【００４３】
ＷＴＲＵ１１０がＣＥＬＬ＿ＦＡＣＨおよび／またはＣＥＬＬ＿ＰＣＨ／ＵＲＡ＿ＰＣＨにおけるＨＳ−ＤＳＣＨ受信をサポートするかどうかをチェックするために、単にＷＴＲＵ１１０がＨＳ−ＤＳＣＨ受信をサポートするかどうかをチェックするだけでなく、追加のＷＴＲＵ性能を加えることができる。例えば、次の追加のＷＴＲＵ性能をＲＲＣ手順に加えることができる。  
ａ．Ｃｅｌｌ＿ＦＡＣＨにおけるＨＳ−ＤＳＣＨサポート（すなわち、Ｃｅｌｌ＿ＦＡＣＨに対してのみ）
ｂ．Ｃｅｌｌ＿ＰＣＨまたはＵＲＡ＿ＰＣＨにおけるＨＳ−ＤＳＣＨサポート（Ｃｅｌｌ＿ＦＡＣＨにおけるＨＳ−ＤＳＣＨサポートをさらに含む）
上記の性能を追加する場合には、ＷＴＲＵ１１０は、上記のチェックを前述のステップの一部として実行することになる。
【００４４】
（ＨＳＤＰＡリソースの消去に関係するアクション）
ＨＳＤＰＡリソースの消去に関係するアクションを実行するために、ＷＴＲＵプロセッサ１１５は、次の１つまたは組合せを実行する。  
ａ．ＨＳ−ＤＳＣＨ受信を開始するための条件を満たさない場合には、ＨＳＤＰＡリソースを消去する
ｂ．ＨＳ−ＤＳＣＨ受信基準を満たさないと、およびＨＳ−ＤＳＣＨ受信がＷＴＲＵ１１０のカレント状態に対して進行中である（すなわちＨＳ＿ＤＳＣＨ＿ＲＥＣＥＰＴＩＯＮ＿ＧＥＮＥＲＡＬをＴＲＵＥに設定する）場合には、変数ＨＳ＿ＤＳＣＨ＿ＲＥＣＥＰＴＩＯＮ＿ＧＥＮＥＲＡＬを、ＦＡＬＳＥに設定し、およびＨＳＤＰＡリソースを、消去する
ｃ．既存のＨＳ−ＤＳＣＨ受信変数、または新たに導入された（すなわちＣｅｌｌ＿ＰＣＨ／ＵＲＡ＿ＰＣＨに関する）変数を評価し、および評価される変数に対応するアクションを実行する。評価される変数は、次の１つまたは組合せとすることができる
ｉ．ＨＳ＿ＤＳＣＨ＿ＲＥＣＥＰＴＩＯＮ変数
ｉｉ．ＨＳ＿ＤＳＣＨ＿ＲＥＣＥＰＴＩＯＮ＿Ｃｅｌｌ＿ＦＡＣＨ＿ＳＴＡＴＥ変数
ｉｉｉ．ＨＳ＿ＤＳＣＨ＿ＲＥＣＥＰＴＩＯＮ＿ＯＦ＿ＣＣＣＨ＿ＥＮＡＢＬＥＤ変数
ｉｖ．Ｃｅｌｌ＿ＰＣＨ／ＵＲＡ＿ＰＣＨに関する変数
上記の変数のうちの１つをＴＲＵＥに設定する条件を満たさない場合には、ＷＴＲＵ１１０は、本明細書において説明される手順の１つを使用して、進行中のＨＳ−ＤＳＣＨ受信があるかをチェックすることができる。進行中のＨＳ−ＤＳＣＨ接続がある場合には、ＷＴＲＵは、すべてのＨＳＤＰＡリソースを解放することができる。あるいはまた、評価されている変数がＦＡＬＳＥに設定されているときはいつでも、ＷＴＲＵは、ＨＳＤＰＡリソースを解放することができる
ｄ．ＨＳ−ＤＳＣＨ受信を実行する条件を満たすときに、Ｃｅｌｌ＿ＦＡＣＨおよびＣｅｌｌ＿ＰＣＨ／ＵＲＡ＿ＰＣＨにおけるＨＳ−ＤＳＣＨ受信の変数に対応する評価およびアクションを、ただ行う。上記のオプションの一部として、上述の手順において条件を満たさないときでさえ、上記の変数および／またはアクションを、実行する
ｅ．上で実行された変更の１つに加えて、Ｃｅｌｌ＿ＦＡＣＨおよびＣｅｌｌ＿ＵＲＡ／Ｃｅｌｌ＿ＰＣＨにおけるＨＳ−ＤＳＣＨ受信を実行する条件を満たさない場合には、Ｃｅｌｌ＿ＤＣＨに対してＨＳ＿ＤＳＣＨ＿ＲＥＣＥＰＴＩＯＮ変数に関係するアクションを、修正して、およびリソースを消去することができる。上記は、（Ｃｅｌｌ＿ＤＣＨから他のあらゆる状態へ変化して）識別される問題のうちの１つを、ただ解決することになる。
【００４５】
ＨＳ−ＤＳＣＨ受信が進行中であるかどうかをチェックすること、ＲＲＣアクションを実行すること、およびＨＳＤＰＡの消去に関係するアクションを実行することに対して説明された上記方法を結合して、識別された問題を解決することができる。
【００４６】
（すべての状態に適用可能なＨＳＤＰＡ変数）
ブール変数ＨＳ＿ＤＳＣＨ＿ＲＥＣＥＰＴＩＯＮ＿ＧＥＮＥＲＡＬを、ＷＴＲＵ１１０がＨＳ−ＤＳＣＨ受信を開始するように構成されたかどうかによって決まるＴＲＵＥに設定する。最初にＷＴＲＵ１１０を起動すると、上記の変数を、ＦＡＬＳＥに設定する。待ち受けモード手順の一部として、次に、ＷＴＲＵ１１０は、ＲＲＣ接続要求メッセージを送信する。メッセージを送信すると、ＷＴＲＵ１１０は、受信したダウンリンクを処理して、ネットワークがＨＳ−ＤＳＣＨをサポートすることを確認する（例えばＳＩＢ５／５ｂｉｓ中のフラグをチェックすることによって）。ＨＳ−ＤＳＣＨをサポートする場合には、ＷＴＲＵ１１０は、ＨＳ＿ＤＳＣＨ＿ＲＥＣＥＰＴＩＯＮ＿ＯＦ＿ＣＣＣＨ変数に関連するアクションを実行する。すなわち、ＴＲＵＥの場合には、これはＨＳ−ＤＳＣＨ受信が進行中であることを意味する。したがって、変数ＨＳ＿ＤＳＣＨ＿ＲＥＣＥＰＴＩＯＮ＿ＧＥＮＥＲＡＬもまたＴＲＵＥに設定する。ＨＳ−ＤＳＣＨ受信を開始するための条件を満たす場合には、ＨＳ＿ＤＳＣＨ＿ＲＥＣＥＰＴＩＯＮ＿ＧＥＮＥＲＡＬを、どの４つの状態においてでもＴＲＵＥに設定する。次に、変数をＴＲＵＥに設定する場合を説明する。変数ＨＳ＿ＤＳＣＨ＿ＲＥＣＥＰＴＩＯＮ＿ＧＥＮＥＲＡＬは、ＷＴＲＵのプロセッサ１１５により定義かつ制御されて、変数ＨＳ＿ＤＳＣＨ＿ＲＥＣＥＰＴＩＯＮ＿ＧＥＮＥＲＡＬは、どの４つの状態Ｃｅｌｌ＿ＤＣＨ、Ｃｅｌｌ＿ＦＡＣＨ、Ｃｅｌｌ＿ＰＣＨ、およびＵＲＡ＿ＰＣＨにおいてでもＨＳ−ＤＳＣＨ受信が進行中であるかどうかを示すためのフラグとして動作する。ＷＴＲＵ１１０は、上記の変数により、進行中のＨＳ−ＤＳＣＨ受信手順があるかどうかをチェックする。変数ＨＳ＿ＤＳＣＨ＿ＲＥＣＥＰＴＩＯＮ＿ＧＥＮＥＲＡＬをＴＲＵＥに設定する場合には、これは、進行中のＨＳ−ＤＳＣＨ受信手順があるということを意味する。ＷＴＲＵ１１０が状態／セル変化時に新しい状態／セルでＨＳ−ＤＳＣＨ受信をサポートすることができない場合には、ＷＴＲＵ１１０は、すべてのＨＳＤＰＡリソースを消去して、変数ＨＳ＿ＤＳＣＨ＿ＲＥＣＥＰＴＩＯＮ＿ＧＥＮＥＲＡＬをＦＡＬＳＥに設定する。上記の変数をいつでも適切に設定するのを確実にするために、上記の変数を、すべての状態においてＨＳ−ＤＳＣＨ受信に関連するアクションに基づいて設定する。
【００４７】
適切な状態においてＨＳ−ＤＳＣＨ受信を設定するためのどの要件でも満たし、およびＨＳ−ＤＳＣＨ受信を開始する場合には、ＨＳ＿ＤＳＣＨ＿ＲＥＣＥＰＴＩＯＮ＿ＧＥＮＥＲＡＬ変数を、ＴＲＵＥに設定する。上記は、次のどの場合においてでも生じることができる。  
ａ．Ｃｅｌｌ＿ＤＣＨにおいてＨＳ＿ＤＳＣＨ＿ＲＥＣＥＰＴＩＯＮを、ＴＲＵＥに設定する
ｂ．Ｃｅｌｌ＿ＦＡＣＨにおいてＨＳ＿ＤＳＣＨ＿ＲＥＣＥＰＴＩＯＮ＿Ｃｅｌｌ＿ＦＡＣＨ＿ＳＴＡＴＥを、ＴＲＵＥに設定する
ｃ．Ｃｅｌｌ＿ＦＡＣＨにおいてＨＳ＿ＤＳＣＨ＿ＲＥＣＥＰＴＩＯＮ＿ＯＦ＿ＣＣＣＨ＿ＥＮＡＢＬＥＤをＴＲＵＥに設定し、およびＷＴＲＵが共通Ｈ−ＲＮＴＩを有する場合には待ち受けモードに設定する
ｄ．Ｃｅｌｌ＿ＰＣＨ／ＵＲＡ＿ＰＣＨにおいてＨＳ−ＤＳＣＨ受信に関係するアクションを実行し、および条件を満たす
ｅ．ＩＥ「ＨＳ−ＤＳＣＨ共通システム情報」を（例えば、無線ベアラ設定中、無線ベアラ再構成中、無線ベアラ解放中、トランスポートチャネル再構成中、またはＰＨＹチャネル再構成中に）ＳＩＢ型５またはＳＩＢ型５ｂｉｓに含む
異なる状態に関するＨＳ−ＤＳＣＨ受信変数に関係する上記の要件を満たさず、および前述のどのＨＳ−ＤＳＣＨ受信変数でもＦＡＬＳＥに設定する場合には、さらにＨＳ＿ＤＳＣＨ＿ＲＥＣＥＰＴＩＯＮ＿ＧＥＮＥＲＡＬを、ＦＡＬＳＥに設定するべきである。
【００４８】
加えて、状態Ｃｅｌｌ＿ＰＣＨおよびＵＲＡ＿ＰＣＨについて既存の変数が修正された場合にはまたは追加の変数が加えられた場合には、ＨＳ＿ＤＳＣＨ＿ＲＥＣＥＰＴＩＯＮ＿ＧＥＮＥＲＡＬの設定は、前述のように、修正されたまたは新しい変数の設定に相関させることができる。ＨＳ−ＤＳＣＨ受信を適切に設定するときはいつでも、変数ＨＳ＿ＤＳＣＨ＿ＲＥＣＥＰＴＩＯＮ＿ＧＥＮＥＲＡＬを、ＴＲＵＥに設定する。ＨＳ−ＤＳＣＨ受信を停止するおよび／またはＷＴＲＵが動作している状態／セルにおいてＨＳ−ＤＳＣＨ受信をサポートしないときはいつでも、変数ＨＳ＿ＤＳＣＨ＿ＲＥＣＥＰＴＩＯＮ＿ＧＥＮＥＲＡＬを、ＦＡＬＳＥに設定するべきである。
【００４９】
（変数ＨＳ＿ＤＳＣＨ＿ＲＥＣＥＰＴＩＯＮ＿ＧＥＮＥＲＡＬに関係するアクション）
ＷＴＲＵ１１０が、新しいセルまたは新しい状態において設定するためのシステム情報の取得に関係する開始手順を実行していると、ＷＴＲＵ１１０は、ＨＳＤＰＡをサポートするかどうかをチェックする。ＨＳ−ＤＳＣＨ受信をサポートしないと、ＷＴＲＵ１１０は、Ｓ−ＣＣＰＣＨ（Secondary Common Control Physical CHannel）選択を実行し、およびＨＳ−ＤＳＣＨ受信手順が進行中である場合には、ＷＴＲＵ１１０は、ＨＳ−ＤＳＣＨリソースを消去することができ、およびＷＴＲＵ１１０は、ＨＳ＿ＤＳＣＨ＿ＲＥＣＥＰＴＩＯＮ＿ＧＥＮＥＲＡＬ変数をＦＡＬＳＥに設定する。
【００５０】
ＷＴＲＵ１１０は、変数ＨＳ＿ＤＳＣＨ＿ＲＥＣＥＰＴＩＯＮ＿ＧＥＮＥＲＡＬをチェックすることによって、ＨＳ−ＤＳＣＨ受信が進行中であるかどうかをチェックすることができる。上記の変数がＴＲＵＥに設定されており、およびＷＴＲＵ１１０がカレント状態／セル（すなわち変化中の新しい状態／セル）においてＨＳＤＰＡをサポートしない場合には、ＷＴＲＵは上記の変数をＦＡＬＳＥに設定し、およびＨＳＤＰＡリソースを消去することに関係する次のステップを実行する。  
ａ．あらゆるＨＳ−ＳＣＣＨ受信手順を停止する
ｂ．あらゆるＨＳ−ＤＳＣＨ受信手順を停止する
ｃ．変数Ｈ＿ＲＮＴＩを消去しおよび格納されたあらゆるＨ−ＲＮＴＩを除去する
ｄ．ＭＡＣ−ｈｓエンティティをリセットする
ｅ．すべてのＨＡＲＱリソースを解放／リセットする
ｆ．格納されたあらゆるＩＥ  ＨＡＲＱ infoを消去する
ＴＤＤおよびＦＤＤに対して、変数ＨＳ＿ＤＳＣＨ＿ＲＥＣＥＰＴＩＯＮ＿ＧＥＮＥＲＡＬをＦＡＬＳＥに設定するときはいつでも、ＷＴＲＵ１１０は、次のステップを実行する。  
−  ＨＳ＿ＳＣＣＨ受信手順を実行しない
−  ＨＳ＿ＤＳＣＨ受信手順を実行しない
ＨＳ−ＤＳＣＨ受信のサポートをセルおよびＷＴＲＵについてチェックするためのあらゆる基準が変化する場合には、変数ＨＳ＿ＤＳＣＨ＿ＲＥＣＥＰＴＩＯＮ＿ＧＥＮＥＲＡＬによるＨＳＤＰＡリソースを消去するＷＴＲＵ１１０のアクションに関連する前述の手順を、依然として適用することができることを補足すべきである。
【００５１】
上記の実施形態のもとに上のシナリオに対して、ＷＴＲＵ１１０は、ＨＳ＿ＤＳＣＨ＿ＲＥＣＥＰＴＩＯＮ＿ＧＥＮＥＲＡＬ変数をＦＡＬＳＥに設定することを確実にする。オプションとして、さらに、ＷＴＲＵ１１０は、他のすべてのＨＳ−ＤＳＣＨ変数をＦＡＬＳＥに設定することを確実にすることができる。加えて、ＷＴＲＵ１１０は、あらゆるＨＳ−ＤＳＣＨ受信が進行している場合には、あらゆるＨＳＤＰＡリソースを解放しおよびＨＳ−ＤＳＣＨ受信手順を停止する。さらに、ＲＲＣ手順において別に指定がない場合にＷＴＲＵがＵＴＲＡ  ＲＲＣ接続モードに入っていくと、およびＷＴＲＵがＵＴＲＡ  ＲＲＣ接続モードのままであると、ＨＳ＿ＤＳＣＨ＿ＲＥＣＥＰＴＩＯＮ＿ＧＥＮＥＲＡＬ変数を、ＦＡＬＳＥに設定する。
【００５２】
図３は、上の記述にかかるＲＲＣ変数ＨＳ＿ＤＳＣＨ＿ＲＥＣＥＰＴＩＯＮ＿ＧＥＮＥＲＡＬの一実装形態の例として方法３００のフローチャートを示す。ＷＴＲＵ１１０は、変数ＨＳ＿ＤＳＣＨ＿ＲＥＣＥＰＴＩＯＮ＿ＧＥＮＥＲＡＬに対して条件をチェックすることを開始（３０１）して、次のチェックを含む。ＷＴＲＵが、変化したセルまたは状態においてＨＳ−ＤＳＣＨをサポートしない場合（３０２）には、変数ＨＳ＿ＤＳＣＨ＿ＲＥＣＥＰＴＩＯＮ＿ＧＥＮＥＲＡＬを、ＴＲＵＥとしてチェックする（３０６）。変数がＴＲＵＥの場合には、変数をＦＡＬＳＥに設定（３０７）し、およびＨＳＤＰＡリソースを解放する（３０８）。ＨＳ−ＤＳＣＨ受信をサポートする場合（３０２）には、およびＷＴＲＵ１１０がページング状態（Ｃｅｌｌ＿ＰＣＨ／ＵＲＡ＿ＰＣＨ）のうちの１つにない場合（３０３）には、ＷＴＲＵは、ＩＥ  ＨＳ−ＤＳＣＨ共通システム情報の存在に対してＳＩＢ５／５ｂｉｓをチェックする（３０５）。ＩＥ  ＨＳ−ＤＳＣＨ共通システム情報が存在しない場合には、および変数ＨＳ＿ＤＳＣＨ＿ＲＥＣＥＰＴＩＯＮ＿ＧＥＮＥＲＡＬがＴＲＵＥである場合（３０６）には、変数ＨＳ＿ＤＳＣＨ＿ＲＥＣＥＰＴＩＯＮ＿ＧＥＮＥＲＡＬをＦＡＬＳＥに設定（３０７）し、およびＨＳＤＰＡリソースを解放する（３０８）。ＷＴＲＵ１１０がページング状態（Ｃｅｌｌ＿ＰＣＨ／ＵＲＡ＿ＰＣＨ）にあり（３０３）およびＩＥ  ＨＳ−ＤＳＣＨページングシステム情報がＳＩＢ５／５ｂｉｓに含まれない場合には、変数ＨＳ＿ＤＳＣＨ＿ＲＥＣＥＰＴＩＯＮ＿ＧＥＮＥＲＡＬを、ＴＲＵＥに設定されているかどうかとしてチェックする（３０６）。ＴＲＵＥの場合には、変数ＨＳ＿ＤＳＣＨ＿ＲＥＣＥＰＴＩＯＮ＿ＧＥＮＥＲＡＬを、ＦＡＬＳＥに設定（３０７）し、およびＨＳＤＰＡリソースを解放する（３０８）。
【００５３】
（ページングチャネルに適用可能なＨＳＤＰＡ変数）
別の実施形態において、Ｃｅｌｌ＿ＰＣＨ／ＵＲＡ＿ＰＣＨ用の新しい変数を、導入する。新しい変数ＨＳ＿ＤＳＣＨ＿ＲＥＣＥＰＴＩＯＮ＿ＰＣＨ＿ＳＴＡＴＥを使用して、ＨＳ＿ＤＳＣＨ受信がＣｅｌｌ＿ＰＣＨまたはＵＲＡ＿ＰＣＨで進行中であるかどうかを示す。上記の実施形態において、各状態用の新しい変数は、存在することができ、および変数を使用して、新しい状態に入る場合にＨＳ−ＤＳＣＨ受信をサポートするかどうかを評価かつ表示する。
【００５４】
ＷＴＲＵ１１０は、ＷＴＲＵ１１０が入りつつある状態に対応する次のＨＳ＿ＤＳＣＨ受信変数を評価し、これらの変数に関連するアクションを実行する。  
ａ．ＨＳ＿ＤＳＣＨ＿ＲＥＣＥＰＴＩＯＮ＿ＯＦ＿Ｃｅｌｌ＿ＦＡＣＨ＿ＳＴＡＴＥ
ｂ．ＷＴＲＵ１１０がＣｅｌｌ＿ＦＡＣＨ状態に移動するまたはＣｅｌｌ＿ＦＡＣＨ状態のままである場合には、ＨＳ＿ＤＳＣＨ＿ＲＥＣＥＰＴＩＯＮ＿ＯＦ＿ＣＣＣＨ＿ＥＮＡＢＬＥＤを評価だけする
ｃ．Ｃｅｌｌ＿ＰＣＨ状態に入るまたはＣｅｌｌ＿ＰＣＨ状態のままである場合には、ＨＳ＿ＤＳＣＨ＿ＲＥＣＥＰＴＩＯＮ＿ＰＣＨ＿ＳＴＡＴＥを評価し、およびアクションを実行する
ｄ．Ｃｅｌｌ＿ＤＣＨ状態に移動するまたはＣｅｌｌ＿ＤＣＨ状態のままであるまたはＣｅｌｌ＿ＤＣＨ状態において再構成する場合には、ＨＳ＿ＤＳＣＨ＿ＲＥＣＥＰＴＩＯＮを評価だけする。
【００５５】
ＷＴＲＵ１１０は、ＨＳ−ＤＳＣＨ受信基準を満たさない場合および満たす場合には、上記の４つの変数を評価しなければならない。上記の手順の背後にある論理的根拠は、ＷＴＲＵ１１０が、ある状態またはセルを抜けると、新しい状態またはセルにおいてＨＳ−ＤＳＣＨ受信をサポートするかどうかを事前に識別することができないことである。しかしながら、状態またはセルに入ると、ＷＴＲＵ１１０は、状態／セルの結果および性能を識別することになり、およびさらに、以前に何をサポートしていたかを識別することができる。
【００５６】
変数を評価すると、最終的な状態におけるＨＳ−ＤＳＣＨ受信を可能にするための要件を満たさない場合には、ＴＲＵＥでない変数に関連するアクションを実行すべきである。これらのアクションは、ＨＳＤＰＡリソースの消去に対応する。しかしながら、状態変化またはセル再選択の前にＨＳ−ＤＳＣＨ受信が進行中であったかどうかをＷＴＲＵ１１０が識別するために、ＷＴＲＵ１１０は、ＷＴＲＵ１１０自体の状態および他の状態に対応する他のどのＨＳ−ＤＳＣＨ変数でもその時点においてＴＲＵＥに設定するかどうかをチェックする。上記は、ＷＴＲＵ１１０が進行中のＨＳ−ＤＳＣＨ接続を有していたことの表示であり、およびしたがって、ＷＴＲＵ１１０は、ＨＳ＿ＤＳＣＨ受信をサポートすることができないのでリソースを消去するべきである。
【００５７】
ＨＳＤＰＡリソースを消去することに加えて、さらにＷＴＲＵ１１０は、他のすべてのＨＳ＿ＤＳＣＨ受信の状態変数をＦＡＬＳＥに設定することを確実にする。さらに、ＷＴＲＵ１１０は、次を実行する。  
−  あらゆるＨＳ＿ＳＣＣＨ受信手順を停止する
−  あらゆるＨＳ−ＤＳＣＨ受信手順を停止する
−  変数Ｈ＿ＲＮＴＩを消去し、および格納されたあらゆるＨ−ＲＮＴＩを除去する
−  ＭＡＣ−ｅｈｓエンティティをリセットする
−  すべてのＨＡＲＱリソースを解放する
−  格納されたあらゆるＩＥ  ＨＡＲＱ infoを消去する。
【００５８】
オプションとして、ＨＳ−ＤＳＣＨ受信手順が進行中であったかどうかチェックするために、さらにＷＴＲＵ１１０は、本明細書において説明されるＨＳ＿ＤＳＣＨ＿ＲＥＣＥＰＴＩＯＮ＿ＧＥＮＥＲＡＬ変数を使用することができる。評価されているＨＳ−ＤＳＣＨ受信の状態変数をＦＡＬＳＥに設定し、およびＨＳ＿ＤＳＣＨ＿ＲＥＣＥＰＴＩＯＮ＿ＧＥＮＥＲＡＬをＴＲＵＥに設定すると、リソースの消去に関連するアクションを消去し、および変数をＦＡＬＳＥに設定する。
【００５９】
（ＨＳ−ＤＳＣＨ受信変数の修正）
次は、ページングチャネル状態に関する既存のＨＳ−ＤＳＣＨ受信変数に対する修正である。  
ａ．ＵＲＡ＿ＰＣＨおよびＣＥＬＬ＿ＰＣＨ状態に対して新しい変数ＨＳ＿ＤＳＣＨ＿ＲＥＣＥＰＴＩＯＮ＿ＰＣＨ＿ＳＴＡＴＥを監視する
ｂ．ＨＳ＿ＤＳＣＨ＿ＲＥＣＥＰＴＩＯＮ＿ＯＦ＿ＣＣＣＨ＿ＥＮＡＢＬＥＤおよびＨＳ＿ＤＳＣＨ＿ＲＥＣＥＰＴＩＯＮ＿ＰＣＨ＿ＳＴＡＴＥをＦＡＬＳＥに設定し、およびどの４つの変数でもＨＳ−ＤＳＣＨ受信が進行中であることを示す場合には、リソースを消去する
ｃ．どの４つの変数でもＴＲＵＥに設定する場合には、ＷＴＲＵ１１０は、ＨＳ＿ＤＳＣＨ＿ＲＥＣＥＰＴＩＯＮおよびＨＳ＿ＤＳＣＨ＿ＲＥＣＥＰＴＩＯＮ＿ＯＦ＿ＣＥＬＬ＿ＦＡＣＨ＿ＳＴＡＴＥをチェックする
ＨＳ＿ＤＳＣＨ＿ＲＥＣＥＰＴＩＯＮ＿ＧＥＮＥＲＡＬを使用してＨＳ−ＤＳＣＨ受信が進行中であるかどうかを示す場合には、どの４つのＨＳ−ＤＳＣＨ受信変数でもＴＲＵＥに設定するかどうかをチェックすることに関係するアクションは、ＨＳ＿ＤＳＣＨ＿ＲＥＣＥＰＴＩＯＮ＿ＧＥＮＥＲＡＬをＴＲＵＥに設定するかどうかをチェックするだけのアクションにより入れ替わる。
【００６０】
ページングチャネルに関するＨＳ＿ＤＳＣＨ受信変数について、ＣＥＬＬ＿ＰＣＨまたはＵＲＡ＿ＰＣＨにおけるＨＳ−ＤＳＣＨ受信が進行中である場合には、変数ＨＳ＿ＤＳＣＨ＿ＲＥＣＥＰＴＩＯＮ＿ＰＣＨ＿ＳＴＡＴＥを、ＴＲＵＥに設定する。手順に特に指定がない場合にＷＴＲＵ１１０がＵＴＲＡ  ＲＲＣ接続モードに入っていくと、ＷＴＲＵ１１０がＵＴＲＡ  ＲＲＣ接続モードを抜けていくと、およびＷＴＲＵ１１０がＣＥＬＬ＿ＦＡＣＨとＣＥＬＬ＿ＤＣＨとに入っていくと、変数ＨＳ＿ＤＳＣＨ＿ＲＥＣＥＰＴＩＯＮ＿ＰＣＨ＿ＳＴＡＴＥを、ＦＡＬＳＥに設定する。
【００６１】
（追加の修正）
ＷＴＲＵ１１０が進行中の手順の表示として他の状態のＨＳ−ＤＳＣＨ受信変数を使用する場合には、いくつかの追加の修正が必要なことがある。
【００６２】
上記の修正は、ＨＳ−ＤＳＣＨ受信が進行していることの表示としてやはり他の状態のＨＳ−ＤＣＨ受信変数により他の実施形態に適用することができることを補足する。ＨＳ＿ＤＳＣＨ＿ＲＥＣＥＰＴＩＯＮ＿ＧＥＮＥＲＡＬ変数を表示として使用する場合には、上記の修正は必要でない。
【００６３】
次の修正をオプションとして実装することができる。  
１．ＷＴＲＵ１１０は、Ｃｅｌｌ＿ＤＣＨから外へ移動すると、ＨＳ＿ＤＳＣＨ＿ＲＥＣＥＰＴＩＯＮに関係するアクションを評価しない
２．ＨＳ−ＤＳＣＨに関係するあらゆるＩＥをＷＴＲＵ１１０に格納する場合には、格納されたあらゆるＩＥ「ダウンリンクＨＳ−ＰＤＳＣＨ情報」を消去する。
【００６４】
ＷＴＲＵ１１０は、後続のセクションに入ってすぐには、ＨＳ＿ＤＳＣＨ＿ＲＥＣＥＰＴＩＯＮ＿ＯＦ＿ＣＣＣＨ＿ＥＮＡＢＬＥＤをＦＡＬＳＥに設定しない。
【００６５】
専用Ｈ−ＲＮＴＩを用いたＨＳ−ＤＳＣＨ受信の実行を開始するための条件がうまく満たされた場合のみ、変数をＦＡＬＳＥに設定し、そうでない場合には、ＷＴＲＵ１１０がＨＳ−ＤＳＣＨ受信手順を実行することができない場合にＦＡＬＳＥに設定することになる。
【００６６】
あるいはまた、ＷＴＲＵ１１０は、ある状態から外へ移動すると、ＨＳ−ＤＳＣＨ受信変数をＦＡＬＳＥに設定することを確実にする。例えば、Ｃｅｌｌ＿ＦＡＣＨから外へ移動すると、変数ＨＳ＿ＤＳＣＨ＿ＲＥＣＥＰＴＩＯＮ＿Ｃｅｌｌ＿ＦＡＣＨ＿ＳＴＡＴＥをＦＡＬＳＥに設定する。しかしながら、さらに上記は、他方の状態の構成が完了した後に行うべきである。
【００６７】
（セル／状態変化中のＨＳＤＰＡリソースの消去）
セル間および状態間において変化する場合のような既存のＨＳ−ＤＳＣＨ受信変数を修正する実施形態において、既存のＨＳ−ＤＳＣＨ受信手順を停止する。
【００６８】
Ｃｅｌｌ＿ＤＣＨから外へ移動すると、ＷＴＲＵ１１０がＨＳ−ＤＳＣＨ受信がサポートしない状態に移動している場合には、ＷＴＲＵ１１０は、ＨＳＤＰＡリソースを消去する。より具体的には、ＨＳ−ＤＳＣＨ受信を他の状態においてＷＴＲＵ１１０およびネットワークがサポートするかどうかをＷＴＲＵ１１０がチェックすることができるようなＨＳ＿ＤＳＣＨ＿ＲＥＣＥＰＴＩＯＮ変数を修正する。上記を、次の条件の１つまたは組合せをチェックすることによって行うことができる。  
３．ＷＴＲＵ１１０はＨＳ−ＤＳＣＨ受信をサポートしない
４．あるいはまた、追加のＷＴＲＵ１１０性能が加えられる（例えばＷＴＲＵ１１０がＣｅｌｌ＿ＦＡＣＨのみでＨＳ−ＤＳＣＨ受信をサポートする、ＷＴＲＵ１１０がＣｅｌｌ＿ＰＣＨおよびＣｅｌｌ＿ＦＡＣＨでＨＳ−ＤＳＣＨ受信をサポートするなどの）場合には、ＷＴＲＵ１１０は、それぞれの状態におけるこれらの特定の条件についてチェックすることができる
５．ＳＩＢ５／５ｂｉｓにＩＥ「ＨＳ−ＤＳＣＨ共通システム情報」を含まない
６．Ｃｅｌｌ＿ＰＣＨおよびＵＲＡ＿ＰＣＨで、ＳＩＢ５／５ｂｉｓにＩＥ「ＨＳ−ＤＳＣＨページングシステム情報」を含まない
上記の条件の１つがＴＲＵＥの場合には、ＷＴＲＵ１１０は、すべてのＨＳＤＰＡリソースを消去する。上記は、Ｃｅｌｌ＿ＤＣＨから他のあらゆる非ＨＳＤＰＡ状態に移動することが、すべてのリソースを解放しおよびＨＳ−ＤＳＣＨ受信手順を停止することを保証することになる。
【００６９】
加えて、セル再選択によりＣｅｌｌ＿ＰＣＨまたはＵＲＡ＿ＰＣＨ状態からＣｅｌｌ＿ＦＡＣＨ状態に移るとき、ＷＴＲＵ１１０は、ＨＳ−ＤＳＣＨ受信手順が進行中であるかどうかの表示を必要とする。ＷＴＲＵ１１０が別の状態に変化する場合には、またはＨＳ−ＤＳＣＨ受信をサポートしないセルへのセル再選択を実行する場合には、上記を、必要とする。ＷＴＲＵ１１０は、ＨＳ−ＤＳＣＨ受信が進行中であること、およびＨＳＤＰＡリソースを消去することになることを検出することができるべきである。ＷＴＲＵ１１０がＨＳ−ＤＳＣＨ受信を開始する条件を満たす場合にはＴＲＵＥに設定される新しいＨＳ＿ＤＳＣＨ＿ＲＥＣＥＰＴＩＯＮ＿ＰＣＨ＿ＳＴＡＴＥ変数を追加することによって、上記を行うことができる。ＨＳ−ＤＳＣＨ受信を停止する場合には、ＨＳ＿ＤＳＣＨ＿ＲＥＣＥＰＴＩＯＮ＿ＰＣＨ＿ＳＴＡＴＥ変数を、ＦＡＬＳＥに設定することになる。
【００７０】
例えばＣｅｌｌ＿ＦＡＣＨ、ＵＲＡ＿ＰＣＨ、およびＣｅｌｌ＿ＰＣＨなどの状態への状態変化およびセル再選択を実行すると、ＨＳ−ＤＳＣＨ受信を実行するための条件をチェックする。条件を満たさない場合には、ＷＴＲＵ１１０は、Ｓ−ＣＣＰＣＨ受信を実行することに加えて、さらに次のうちの１つを実行する。  
７．変数ＨＳ＿ＤＳＣＨ＿ＲＥＣＥＰＴＩＯＮ＿ＯＦ＿Ｃｅｌｌ＿ＦＡＣＨ＿ＳＴＡＴＥを評価し、対応するアクションを実行する。すなわち、要件を満たさずＨＳ−ＤＳＣＨ受信が進行中である場合には、ＨＳＤＰＡリソースを、消去することになる
８．カレント状態またはその他の状態において進行中のあらゆるＨＳ−ＤＳＣＨ手順があるかどうか評価することができるために、追加のチェックを実行するべきである。例えば、さらにＷＴＲＵ１１０は、ＨＳ＿ＤＳＣＨ＿ＲＥＣＥＰＴＩＯＮ＿ＯＦ＿ＣＣＣＨ＿ＥＮＡＢＬＥＤ、またはＨＳ＿ＤＳＣＨ＿ＲＥＣＥＰＴＩＯＮ＿ＰＣＨ＿ＳＴＡＴＥ、またはＨＳ＿ＤＳＣＨ＿ＲＥＣＥＰＴＩＯＮ＿Ｃｅｌｌ＿ＦＡＣＨ＿ＳＴＡＴＥをＴＲＵＥに設定するかどうかをチェックするべきである。どの変数でもＴＲＵＥに設定する場合には、ＷＴＲＵ１１０は、リソースを消去し、およびすべての変数をＦＡＬＳＥに設定する
９．ＨＳ−ＤＳＣＨリソースを消去する必要を評価する場合には、ＷＴＲＵ１１０は、ＨＳ＿ＤＳＣＨ＿ＲＥＣＥＰＴＩＯＮ＿ＯＦ＿ＣＣＣＨ＿ＥＮＡＢＬＥＤをＦＡＬＳＥに設定するかどうかをチェックする必要はない
１０．変数ＨＳ＿ＤＳＣＨ＿ＲＥＣＥＰＴＩＯＮ＿ＯＦ＿ＣＣＣＨ＿ＥＮＡＢＬＥＤを評価する。ＨＳ−ＤＳＣＨ受信を設定するのに必要とする条件を満たさない場合に関係する追加のアクション。
【００７１】
ＷＴＲＵ１１０は、どのＨＳ−ＤＳＣＨ受信変数でもＴＲＵＥ（すなわちＨＳ−ＤＳＣＨ受信が進行中であることを示す）に設定するかどうかチェックする性能があるべきである。
【００７２】
あらゆる変数をＴＲＵＥに設定する場合には、ＷＴＲＵ１１０は、すべてのリソースを消去しおよびすべての変数をＦＡＬＳＥに設定し、変数を評価し、および前のどの実施形態においてでも指定された手順の１つにより、または明細書におけるように、アクションを実行するべきである。
【００７３】
最後に、ＷＴＲＵ１１０は、ある状態においてＨＳ−ＤＳＣＨ受信を停止する場合（すなわち、共通のＨ−ＲＮＴＩから専用のＨ−ＲＮＴＩに変更する場合、状態を変更する場合、およびセルを変更する場合）には、変数をＦＡＬＳＥに設定することを確実にしなければならない。
【００７４】
（ＨＳ−ＤＳＣＨ受信条件を満たさない場合のリソースの解放）
別の実施形態では、ＷＴＲＵ１１０は、ＨＳ−ＤＳＣＨ受信を実行するための条件をチェックしおよび満たさない場合には、常にリソースを解放する。オプションとして、ＷＴＲＵ１１０は、（例えばＨＡＲＱにより構成された）ＭＡＣ−ｅｈｓ状態表示を使用して、ＷＴＲＵ１１０が進行中のＨＳＤＰＡ設定を有するかどうかを決定することができる。
【００７５】
ＨＳ−ＤＳＣＨ動作を停止する場合の適切なビヘイビアーを、次の条件をチェックするどのような場合においても指定するべきである。
＞  ＴＤＤとして
＞  ＦＤＤとしてＷＴＲＵ１１０がＨＳ−ＤＳＣＨ受信をサポートしないかどうか
＞  ＳＩＢ型５またはＳＩＢ型５ｂｉｓにＩＥ「ＨＳ−ＤＳＣＨ共通システム情報」を含まないかどうか
＞  ＴＤＤとして
＞  ＦＤＤとしてＷＴＲＵ１１０がＨＳ−ＤＳＣＨ受信をサポートしないかどうか
＞  ＩＥ「ＨＳ−ＤＳＣＨページングシステム情報」が含まれないかどうか
上記の条件を、次を含めた種々の位置においてチェックする。  
・  ＳＩＢ５および５ｂｉｓ
・  ＳＩＢ６
・  ＷＴＲＵ１１０による設定／再構成／解放メッセージの受信
・  セル更新、開始
・  ＷＴＲＵ１１０によるセル更新確認メッセージの受信
・  タイマーＴ３０２の満了またはセル再選択
・  開始（ＲＲＣ  ＣＯＮＮＥＣＴＩＯＮ  ＲＥＱＵＥＳＴ）
・  ＲＲＣ  ＣＯＮＮＥＣＴＩＯＮ  ＳＥＴＵＰの受信
上記の条件の１つを満たすと、ＷＴＲＵ１１０の適切なビヘイビアーは、次のとおりである。
＞  あらゆるＨＳ−ＳＣＣＨ受信手順を停止する
＞  あらゆるＨＳ−ＤＳＣＨ受信手順を停止する
＞  変数Ｈ＿ＲＮＴＩを消去し、および格納されたあらゆるＨ−ＲＮＴＩを除去する
＞  ＭＡＣ−ｅｈｓエンティティを解放する
＞  すべてのＨＡＲＱリソースを解放する
＞  格納されたあらゆるＩＥ  ＨＡＲＱ infoを消去する。
【００７６】
あるいはまた、ＷＴＲＵ１１０に対する次の例示的な命令は、どの状態変数でもＴＲＵＥに設定するかどうかをチェックすることにより、ＨＳ−ＤＳＣＨ受信が進行中である場合のみＨＳＤＰＡリソースを消去する。
【００７７】
ＨＳＤＰＡリソースの解放
変数ＨＳ＿ＤＳＣＨ＿ＲＥＣＥＰＴＩＯＮ＿Ｃｅｌｌ＿ＦＡＣＨ＿ＳＴＡＴＥ＿ＥＮＡＢＬＥＤまたはＨＳ＿ＤＳＣＨ＿ＲＥＣＥＰＴＩＯＮまたはＨＳ＿ＤＳＣＨ＿ＲＥＣＥＰＴＩＯＮ＿ＯＦ＿ＣＣＣＨ＿ＥＮＡＢＬＥＤまたはＨＳ＿ＤＳＣＨ＿ＲＥＣＥＰＴＩＯＮ＿ＰＣＨ＿ＳＴＡＴＥのうちの１つをＴＲＵＥに設定する場合には、ＷＴＲＵ１１０は、次のとおりに動作する
１１．次の変数を設定する
【００７８】
【表３】
0005491578.tif 000004
【００７９】
１２．あらゆるＨＳ＿ＳＣＣＨ受信手順を停止する
１３．あらゆるＨＳ−ＤＳＣＨ受信手順を停止する
１４．変数Ｈ＿ＲＮＴＩを消去し、および格納されたあらゆるＨ−ＲＮＴＩを除去する
１５．ＭＡＣ−ｅｈｓエンティティをリセットする
１６．すべてのＨＡＲＱリソースを解放する
１７．格納されたあらゆるＩＥ  ＨＡＲＱ infoを消去する。
【００８０】
（実施形態）
１．セルまたは状態において高速ダウンリンクパケットアクセス（ＨＳＤＰＡ）モードにて動作して、前記セルまたは状態から外へ移動する場合にはＨＳＤＰＡリソースを消去するよう構成されたワイヤレス送受信ユニット（ＷＴＲＵ）。  
２．高速ダウンリンクの共有チャネルの受信を実行するための条件を満たさない場合には前記ＨＳＤＰＡリソースを消去するよう構成された実施形態１のＷＴＲＵ。  
３．セルまたは状態を抜ける場合にはＨＳＤＰＡリソースを消去するための１つまたは複数の手順を実行するＷＴＲＵであって、
高速同期制御チャネル（ＨＳ−ＳＣＣＨ）の受信を停止すること、
高速ダウンリンク共有チャネル（ＨＳ−ＤＳＣＨ）の受信を停止すること、
無線ネットワーク仮識別子（ＲＮＴＩ）を消去すること、
媒体アクセス制御（ＭＡＣ）のエンティティをリセットすること、
ハイブリッド自動再送要求（ＨＡＲＱ）のリソースを解放すること、
ＨＡＲＱの情報に関係する格納されたあらゆる情報要素を消去すること
を実行するようさらに構成された上記実施形態のいずれかにおけるＷＴＲＵ。
４．進行中のＨＳ−ＤＳＣＨの受信としてチェックするようにさらに構成された上記実施形態のいずれかにおけるＷＴＲＵ。
５．単一のブールＨＳ−ＤＳＣＨ受信変数をチェックしてどの状態においてでもＨＳＤＰＡ受信を決定するようにさらに構成された上記実施形態のいずれかにおけるＷＴＲＵ。
６．受信変数は、ＨＳ−ＤＳＣＨサポートのために「ＴＲＵＥ」に等しく、ＨＳ−ＤＳＣＨサポートなしのために「ＦＡＬＳＥ」に等しい上記実施形態のいずれかにおけるＷＴＲＵ。
７．ＣＥＬＬ／ＵＲＡ＿ＰＣＨ変数を読取ってＨＳ−ＤＳＣＨ受信を決定するよう構成された上記実施形態のいずれかにおけるＷＴＲＵ。
８．ＭＡＣ状態インジケータを読取ってＨＳ−ＤＳＣＨ受信を決定するよう構成された上記実施形態のいずれかにおけるＷＴＲＵ。
９．複数の情報要素（ＩＥ）を読取ってＨＳ−ＤＳＣＨ受信を決定するよう構成された上記実施形態のいずれかにおけるＷＴＲＵ。
１０．前記ＩＥは、無線リソース制御（ＲＲＣ）メッセージである実施形態９のＷＴＲＵ。
１１．前記ＨＳ−ＤＳＣＨサポートは、ＣＥＬＬ＿ＦＡＣＨ状態およびＣＥＬＬ／ＵＲＡ＿ＣＰＨ状態に含まれる実施形態１０のＷＴＲＵ。
１２．前記ＨＳＰＤＡリソースを消去するためにＩＥ変数を読取るようさらに構成された上記実施形態のいずれかにおけるＷＴＲＵ。
１３．前記ＩＥ変数が「ＦＡＬＳＥ」の場合には前記ＨＳＤＰＡリソースを消去するよう構成された実施形態１２のＷＴＲＵ。
１４．ブール変数ＨＳ＿ＤＳＣＨ＿ＲＥＣＥＰＴＩＯＮ＿ＧＥＮＥＲＡＬを読取ってＨＳ−ＤＳＣＨ受信を決定するよう構成された上記実施形態のいずれかにおけるＷＴＲＵ。
１５．前記変数ＨＳ＿ＤＳＣＨ＿ＲＥＣＥＰＴＩＯＮ＿ＧＥＮＥＲＡＬがｔｒｕｅの場合にはＨＳ−ＤＳＣＨ受信が進行中である実施形態１４のＷＴＲＵ。
１６．ＨＳ−ＤＳＣＨ受信をサポートするよう構成されていない場合には、前記ＨＳＤＰＡリソースを消去し、前記変数ＨＳ＿ＤＳＣＨ＿ＲＥＣＥＰＴＩＯＮ＿ＧＥＮＥＲＡＬをＦＡＬＳＥに設定するよう構成された実施形態１５のＷＴＲＵ。
１７．ＣＥＬＬ＿ＦＡＣＨモードおよびＣＥＬＬ＿ＤＣＨモードにおいてＨＳ＿ＤＳＣＨ＿ＲＥＣＥＰＴＩＯＮ変数をＴＲＵＥに設定する場合には、前記ＨＳ＿ＤＳＣＨ＿ＲＥＣＥＰＴＩＯＮ＿ＧＥＮＥＲＡＬをｔｒｕｅに設定する実施形態１５のＷＴＲＵ。
１８．新しいセルの設定のためにシステム情報を取得中である場合には、前記ＨＳＰＤＡをサポートするかどうかをチェックするよう構成された上記実施形態のいずれかにおけるＷＴＲＵ。
１９．ＨＤ−ＤＳＣＨをサポートするよう構成されていない場合には、第２の共通物理チャネルの選択を実行するよう構成された実施形態１８のＷＴＲＵ。
２０．ＣＥＬＬ＿ＰＣＨモードまたはＵＲＡ＿ＰＣＨモードにおいて構成される場合には、ＨＳ＿ＤＳＣＨ＿ＲＥＣＥＰＴＩＯＮ＿ＦＯＲ＿ＰＡＧＩＮＧ変数を読取って、ＨＳ−ＤＳＣＨ受信を決定するよう構成された上記実施形態のいずれかにおけるＷＴＲＵ。
２１．入っていく状態に対応する前記ＨＳ−ＤＳＣＨ変数に関連づけられたアクションを評価し、実行するよう構成された実施形態２０のＷＴＲＵ。
２２．ＨＳ−ＤＳＣＨ受信基準を満たすまたは満たさない場合には変数を評価するよう構成された実施形態２０−２１のＷＴＲＵ。
２３．最終的な状態においてＨＳ−ＤＳＣＨ受信を可能にするための要件を満たさない場合には、ＨＳＤＰＡリソースを消去するよう構成された実施形態２０−２２のＷＴＲＵ。
２４．
【００８１】
【表４】
0005491578.tif 000005
【００８２】
の４つの変数を読取ってＨＳ−ＤＳＣＨ受信を決定するように構成された実施形態２０−２３のＷＴＲＵ。
２５．ＩＥ「ＨＳ−ＤＳＣＨページングシステム情報」がシステム情報ブロック（ＳＩＢ）５または５ｂｉｓに表れない場合には、前記４つの変数を読取るよう構成された実施形態２４のＷＴＲＵ。
２６．ＣＥＬＬ＿ＤＣＨ状態から外へ移動する場合には、ＨＳ＿ＤＳＣＨ＿ＲＥＣＥＰＴＩＯＮを読取らないよう構成された実施形態２０−２５のＷＴＲＵ。
２７．ＨＳ−ＤＳＣＨに関係するＩＥをＷＴＲＵに格納する場合には、格納されたあらゆるＩＥ「ダウンリンクＨＳ−ＰＤＳＣＨ情報」を消去するように構成された実施形態２０−２６のＷＴＲＵ。
２８．状態から外へ移動する場合には、ＨＳ−ＤＳＣＨ受信変数を「ＦＡＬＳＥ」に設定するよう構成された実施形態２０−２７のＷＴＲＵ。
２９．セル間および状態間において変化する場合には、ＨＳ−ＤＳＣＨ手順を停止するよう構成された上記実施形態のいずれかにおけるＷＴＲＵ。
３０．ＨＳ＿ＤＳＣＨ＿ＲＥＣＥＰＴＩＯＮ変数を読取って他の状態におけるＨＳ−ＤＳＣＨ受信を決定するよう構成された実施形態２９のＷＴＲＵ。
３１．「ＨＳ−ＤＳＣＨ共通システム情報」のＩＥのパラメータおよび「ＨＳ−ＤＳＣＨページングシステム情報」のパラメータを読取ってＨＳ−ＤＳＣＨ受信を決定するよう構成された実施形態２９−３０のＷＴＲＵ。
３２．「ＨＳ＿ＤＳＣＨ＿ＲＥＣＥＰＴＩＯＮ＿ＰＣＨ＿ＳＴＡＴＥ」のパラメータを読取ってＨＳ−ＤＳＣＨ受信を決定するよう構成された実施形態２９−３１のＷＴＲＵ。
３３．ＭＡＣの状態インジケータを読取ってＨＳ−ＤＳＣＨ受信を決定するよう構成された上記実施形態のいずれかにおけるＷＴＲＵ。
３４．セルまたは状態において高速ダウンリンクパケットアクセス（ＨＳＤＰＡ）モードにて動作すること、前記セルまたは前記状態から外へ移動する場合には、ＨＳＤＰＡリソースを消去することをワイヤレス送受信ユニット（ＷＴＲＵ）により実行する方法。
３５．前記ＷＴＲＵは、高速ダウンリンクの共有チャネルの受信を実行するための条件
を満たさない場合には、ＨＳＰＤＡリソースを消去するように構成された実施形態３４の方法。
３６．高速同期制御チャネル（ＨＳ−ＳＣＣＨ）の受信を停止すること、
高速ダウンリンク共有チャネル（ＨＳ−ＤＳＣＨ）の受信を停止すること、
無線ネットワーク仮識別子（ＲＮＴＩ）を消去すること、
媒体アクセス制御（ＭＡＣ）のエンティティをリセットすること、
ハイブリッド自動再送要求（ＨＡＲＱ）のリソースを解放すること、
ＨＡＲＱの情報に関係する格納されたあらゆる情報要素を消去すること
をさらに備えた実施形態３４−３５の方法。
３７．進行中のＨＳ−ＤＳＣＨ受信としてチェックすることをさらに備えた実施形態３４−３６の方法。
３８．ブールＨＳ−ＤＳＣＨ受信変数をチェックして進行中のＨＳＤＰＡ処理を決定することをさらに備えた実施形態３４−３７の方法。
３９．前記受信変数は、ＨＳ−ＤＳＣＨサポートのために「ＴＲＵＥ」に等しく、ＨＳ−ＤＳＣＨサポートなしのために「ＦＡＬＳＥ」に等しい実施形態３４−３８の方法。
４０．前記ＷＴＲＵは、ＣＥＬＬ＿ＰＣＨまたはＵＲＡ＿ＰＣＨ変数を読取って進行中のＨＳ−ＤＳＣＨ受信を決定する実施形態３４−３９の方法。
４１．前記ＷＴＲＵは、ＭＡＣの状態インジケータを読取って進行中のＨＳ−ＤＳＣＨ受信を決定する実施形態３４−４０の方法。
４２．前記ＷＴＲＵは、複数の情報要素（ＩＥ）を読取ってＨＳ−ＤＳＣＨ受信を決定する実施形態３４−４１の方法。
４３．前記ＩＥは、無線リソース制御（ＲＲＣ）のメッセージである実施形態４２の方法。
４４．ＨＳ−ＤＳＣＨサポートは、ＣＥＬＬ＿ＦＡＣＨ状態およびＣＥＬＬ／ＵＲＡ＿ＣＰＨ状態に含まれる実施形態４３の方法。
４５．ＨＳＰＤＡリソースを消去するためにＩＥ変数を読取ることをさらに備えた実施形態３４−４４の方法。
４６．前記ＩＥ変数が「ＦＡＬＳＥ」の場合には、前記ＷＴＲＵは、ＨＳＤＰＡリソースを消去する実施形態４５の方法。
４７．前記ＷＴＲＵは、ブール変数ＨＳ＿ＤＳＣＨ＿ＲＥＣＥＰＴＩＯＮ＿ＧＥＮＥＲＡＬを読取ってＨＳ−ＤＳＣＨ受信を決定する実施形態３４−４６の方法。
４８．ＨＳ＿ＤＳＣＨ＿ＲＥＣＥＰＴＩＯＮ＿ＧＥＮＥＲＡＬがｔｒｕｅの場合には、ＨＳ−ＤＳＣＨ受信が進行中である実施形態４７の方法。
４９．前記ＷＴＲＵがＨＳ−ＤＳＣＨ受信をサポートするよう構成されていない場合には、前記ＷＴＲＵは、ＨＳＤＰＡリソースを消去し、変数ＨＳ＿ＤＳＣＨ＿ＲＥＣＥＰＴＩＯＮ＿ＧＥＮＥＲＡＬをｆａｌｓｅに設定する実施形態４８の方法。
５０．ＣＥＬＬ＿ＦＡＣＨモードおよびＣＥＬＬ＿ＤＣＨモードにおいてＨＳ＿ＤＳＣＨ＿ＲＥＣＥＰＴＩＯＮ変数をＴＲＵＥに設定する場合には、変数ＨＳ＿ＤＳＣＨ＿ＲＥＣＥＰＴＩＯＮ＿ＧＥＮＥＲＡＬをｔｒｕｅに設定する実施形態４８の方法。
５１．前記ＷＴＲＵが新しいセルの設定のためにシステム情報を取得中である場合には、前記ＷＴＲＵは、ＨＳＰＤＡをサポートするかどうかをチェックする実施形態３４−５０の方法。
５２．前記ＷＴＲＵがＨＤ−ＤＳＣＨをサポートするよう構成されていない場合には、前記ＷＴＲＵは、第２の共通物理チャネルの選択を実行する実施形態５１の方法。
５３．前記ＷＴＲＵがＣＥＬＬ＿ＰＣＨモードまたはＵＲＡ＿ＰＣＨモードにおいて構成される場合には、前記ＷＴＲＵは、ＨＳ＿ＤＳＣＨ＿ＲＥＣＥＰＴＩＯＮ＿ＦＯＲ＿ＰＡＧＩＮＧ変数を読取って、ＨＳ−ＤＳＣＨ受信を決定する実施形態３４−５２の方法。
５４．前記ＷＴＲＵは、前記ＷＴＲＵが入っていく状態に対応するＨＳ−ＤＳＣＨ変数に関連づけられたアクションを評価し、実行する実施形態５３の方法。
５５．ＨＳ−ＤＳＣＨ受信基準を満たすまたは満たさない場合には、前記ＷＴＲＵは、変数を評価する実施形態５３−５４の方法。
５６．最終的な状態におけるＨＳ−ＤＳＣＨ受信を可能にするための要件を満たさない場合には、前記ＷＴＲＵは、ＨＳＤＰＡリソースを消去する実施形態５３−５５の方法。
５７．前記ＷＴＲＵは、
【００８３】
【表５】
0005491578.tif 000006
【００８４】
の４つの変数を読取ってＨＳ−ＤＳＣＨ受信を決定する実施形態５３−５６の方法。
５８．ＩＥ「ＨＳ−ＤＳＣＨページングシステム情報」がＳＩＢ型５または５ｂｉｓに現れない場合には、前記ＷＴＲＵは、前記４つの変数を読取る実施形態５７の方法。
５９．ＣＥＬＬ＿ＤＣＨ状態から外へ移動する場合には、前記ＷＴＲＵは、ＨＳ＿ＤＳＣＨ＿ＲＥＣＥＰＴＩＯＮを読取らない実施形態５３−５８の方法。
６０．ＨＳ−ＤＳＣＨに関係するＩＥをＷＴＲＵに格納する場合には、前記ＷＴＲＵは、格納されたあらゆるＩＥ「ダウンリンクＨＳ−ＰＤＳＣＨ情報」を消去する実施形態５３−５９の方法。
６１．状態から外へ移動する場合には、前記ＷＴＲＵは、ＨＳ−ＤＳＣＨ受信変数を「ＦＡＬＳＥ」に設定する実施形態５３−６０の方法。
６２．セル間および状態間において変化する場合には、前記ＷＴＲＵは、ＨＳ−ＤＳＣＨ手順を停止する実施形態３４−６１の方法。
６３．前記ＷＴＲＵは、ＨＳ＿ＤＳＣＨ＿ＲＥＣＥＰＴＩＯＮ変数を読取って他の状態におけるＨＳ−ＤＳＣＨ受信を決定する実施形態２９の方法。
６４．前記ＷＴＲＵは、「ＨＳ−ＤＳＣＨ共通システム情報」のＩＥのパラメータおよび「ＨＳ−ＤＳＣＨページングシステム情報」のパラメータを読取ってＨＳ−ＤＳＣＨ受信を決定する実施形態６２−６３の方法。
６５．前記ＷＴＲＵは、「ＨＳ＿ＤＳＣＨ＿ＲＥＣＥＰＴＩＯＮ＿ＰＣＨ＿ＳＴＡＴＥ」のパラメータを読取ってＨＳ−ＤＳＣＨ受信を決定する実施形態６２−６４の方法。
６６．前記ＷＴＲＵは、ＭＡＣの状態インジケータを読取ってＨＳ−ＤＳＣＨ受信を決定する実施形態３４−６５の方法。
【００８５】
機能および要素が特殊な組合せにおいて上述されるが、各機能または要素を、他の機能および要素なしに単独において使用することができ、または他の機能および要素ありまたはなしに種々の組合せにおいて使用することができる。本明細書に提供した方法またはフローチャートは、汎用コンピューターまたはプロセッサによって実行されるようにコンピューター読取り可能記憶媒体に組み込まれたコンピュータープログラム、ソフトウェア、またはファームウェアにおいて実装することができる。コンピューター読取り可能記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクや取外し可能ディスクなどの磁気媒体、光磁気媒体、および、ＣＤ−ＲＯＭディスクやデジタル多用途ディスク（ＤＶＤ）などの光学媒体を含む。
【００８６】
例として、適切なプロセッサは、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラー、マイクロコントローラー、特定用途向け集積回路（ＡＳＩＣ）、フィールドプログラマブルゲートアレイ（ＦＰＧＡ）回路、あらゆる他の種類の集積回路（ＩＣ）、および／またはステートマシンを含む。
【００８７】
ソフトウェアに関連するプロセッサを使用して、ワイヤレス送受信ユニット（ＷＴＲＵ）、ユーザー装置（ＵＥ）、端末、基地局、無線ネットワークコントローラー（ＲＮＣ）、またはあらゆるホストコンピューターにおいて使用するための無線周波数トランシーバを実装することができる。ＷＴＲＵを、例えば、カメラ、ビデオカメラモジュール、ビデオホン、スピーカホン、振動デバイス、スピーカ、マイクロホン、テレビジョントランシーバ、ハンズフリーヘッドセット、キーボード、ブルートゥース（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレーヤ、メディアプレーヤ、ビデオゲームプレーヤモジュール、インターネットブラウザ、および／またはあらゆるワイヤレスローカルエリアネットワーク（ＷＬＡＮ）もしくはウルトラワイドバンド（ＵＷＢ）のモジュールなど、ハードウェアおよび／またはソフトウェアにおいて実装されるモジュールと共に使用することができる。
【図１】
0005491578.tif 000007
【図２】
0005491578.tif 000008
【図３】
0005491578.tif 000009